(57)【要約】【課題】本発明は、従来と比して一段とアンテナ利得の劣化を低減し得る携帯無線機を実現する。【解決手段】本発明は、ユーザによって把持される操作部筐体２２と、当該操作部筐体２２に設けられたアンテナ収容部２７と、ユーザの手により把持される操作部筐体２２の部位とアンテナ収容部２７との間に設けられ、当該ユーザの手を当該アンテナ収容部２７から離開させるアンテナカバー２９とを設けたことにより、ユーザの手とアンテナ収容部２７とを遠ざけることができるので、人体に起因するアンテナ利得の劣化を低減することができる。【選択図】        図１
2004336368.tif 000002
【特許請求の範囲】
【請求項１】
ユーザによって把持される筐体と、
上記筐体に設けられたアンテナと、
上記ユーザの手により把持される上記筐体の部位と上記アンテナとの間に設けられ、当該ユーザの手を当該アンテナから離開させるアンテナ離開手段と
を具えることを特徴とする携帯無線機。
【請求項２】
上記アンテナ離開手段を上記筐体に対して収納及び展開自在に支持し、上記携帯無線機の携行時においては、上記アンテナ離開手段を収納して当該携帯無線機全体を小型化すると共に、当該携帯無線機の通話時には、当該アンテナ離開手段を展開して上記ユーザの手を上記アンテナから離開させる支持手段
を具えることを特徴とする請求項１に記載の携帯無線機。
【請求項３】
上記アンテナ離開手段にはマイクロフォンが設けられ、
上記支持手段は、
上記携帯無線機の通話時において、上記アンテナ離開手段を上記筐体に対して展開したとき、当該アンテナ離開手段を上記ユーザの口に近接させる
ことを特徴とする請求項２に記載の携帯無線機。
【請求項４】
上記アンテナ離開手段にはスピーカが設けられ、
上記支持手段は、
上記携帯無線機の通話時において、上記アンテナ離開手段を上記筐体に対して展開したとき、当該アンテナ離開手段を上記ユーザの耳に近接させる
ことを特徴とする請求項２に記載の携帯無線機。
【請求項５】
上記アンテナ離開手段は、
上記支持手段によって上記筐体に対して離開されたとき、上記ユーザに対して上記筐体の把持を補助する
ことを特徴とする請求項２に記載の携帯無線機。
【請求項６】
上記アンテナ離開手段は、
上記支持手段によって上記筐体に対して収納されたとき、上記アンテナを覆う
ことを特徴とする請求項２に記載の携帯無線機。
【発明の詳細な説明】
【０００１】
【発明の属する技術分野】
本発明は、携帯無線機に関し、例えば携帯電話機に適用して好適なものである。
【０００２】
【従来の技術】
従来、携帯電話機においては、その通話時に人体頭部近傍で使用されるため、アンテナから放射される電磁波の一部が人体の影響を受けることによりアンテナ放射効率が低下するという問題があった。
【０００３】
このような問題を解決するために、筐体の上端に当該筐体から突出するアンテナを設けると共に、通話時に当該アンテナと人体頭部との間に位置するような反射板を筐体の上端に設け、アンテナから放射された電磁波を当該反射板で反射させることにより、アンテナ放射効率の低下を低減した携帯電話機がある（例えば、特許文献１参照）。
【０００４】
ところで、近年ますます小型化が要求される携帯電話機においては、筐体内部にアンテナを設けることにより、筐体からアンテナを突出させずに、一段と小型化された携帯電話機がある。
【０００５】
例えば図１１（Ａ）に示すように、表示部２と操作部３とが筐体４に設けられると共に、当該筐体４の上端に設けられたアンテナ収容部５の内部にアンテナ（図示せず）を収容するようにした携帯電話機１がある。
【０００６】
また図１１（Ｂ）に示すように、表示部７が設けられた表示部筐体８と操作部９が設けられた操作部筐体１０とが、当該表示部筐体８の下端と当該操作部筐体１０の上端とを連結するヒンジ部１１を介して折り畳み可能に形成されると共に、当該操作部筐体１０の下端に設けられたアンテナ収容部１２の内部にアンテナ（図示せず）を収納するようにした携帯電話機６がある。
【０００７】
さらに図１１（Ｃ）に示すように、表示部（図示せず）が設けられた表示部筐体１４と操作部（図示せず）が設けられた操作部筐体１５とが、当該表示部筐体１４の下端と当該操作部筐体１５の操作部が設けられた面の上部とを連結するヒンジ部１６を介して折り畳み可能に形成されると共に、当該操作部筐体１５の上端に設けられたアンテナ収容部１７の内部にアンテナ（図示せず）を収納するようにした携帯電話機１３がある。
【０００８】
【特許文献１】
特開平１１−３３１０１７号公報（第１図）
【０００９】
【発明が解決しようとする課題】
ところで、上述のようにアンテナが筐体内部に設けられている場合、ユーザはアンテナの位置を認識することができない。そのため例えば図１２（Ａ）、（Ｂ）及び（Ｃ）に示すように、ユーザは携帯電話機を使用する際に、アンテナ収容部の近傍あるいはアンテナ収容部自体を把持してしまう場合があり、この場合アンテナから放射された電磁波がユーザの手の影響を受けることにより携帯電話機のアンテナ放射効率が低下してしまう。
【００１０】
このようにアンテナが筐体内部に設けられている携帯電話機においては、アンテナ収容部の近傍あるいはアンテナ収容部自体をユーザによって把持されると、当該ユーザの手に起因してアンテナ利得が劣化してしまうという問題があった。
【００１１】
本発明は以上の点を考慮してなされたもので、従来と比して一段とアンテナ利得の劣化を低減し得る携帯無線機を提案しようとするものである。
【００１２】
【課題を解決するための手段】
かかる課題を解決するために本発明においては、ユーザによって把持される筐体と、筐体に設けられたアンテナと、ユーザの手により把持される筐体の部位とアンテナとの間に設けられ、当該ユーザの手を当該アンテナから離開させるアンテナ離開手段とを設けるようにした。
【００１３】
これにより筐体を把持するユーザの手とアンテナとを遠ざけることができるので、人体に起因するアンテナ利得の劣化を低減することができる。
【００１４】
【発明の実施の形態】
以下図面について、本発明の一実施の形態を詳述する。
【００１５】
（１）第１の実施の形態
（１−１）第１の実施の形態における携帯電話機の外観構成
図１（Ａ）及び（Ｂ）において、２０は全体として第１の実施の形態を適用した携帯電話機を示し、表示部筐体２１と操作部筐体２２とが、当該表示部筐体２１の下端と当該操作部筐体２２の上端とを連結するヒンジ部２３を介して折り畳み可能に形成されており、通話時には展開した開状態（図１（Ａ））で使用され、携帯時には折り畳まれた閉状態（図１（Ｂ））で使用される。
【００１６】
図１（Ａ）に示すように、表示部筐体正面２１Ａには、その中央部分に液晶ディスプレイ等でなる表示部２４が設けられていると共に、当該表示部２４の上方にはスピーカ２５が設けられている。一方、操作部筐体正面２２Ａには、その中央部分に複数の操作ボタンでなる操作部２６が設けられている。
【００１７】
かかる構成に加えて携帯電話機２０においては、内部にアンテナ素子（図示せず）を収容したアンテナ収容部２７が操作部筐体２２の下端に設けられていると共に、操作部筐体右側面２２Ｂの中央部分から下部にかけて、及び操作部筐体左側面２２Ｃの中央部分から下部にかけてそれぞれスライド用溝２８Ａ、２８Ｂ（図示せず）が設けられている。
【００１８】
また携帯電話機２０においては、アンテナ収容部２７を内部に収納可能な箱型のアンテナカバー２９が操作部筐体２２の下端に設けられており、アンテナカバー右側面２９Ｂ及びアンテナカバー左側面２９Ｃにはそれぞれスライド部３０Ａ及び３０Ｂが設けられていると共に、アンテナカバー正面２９Ａの中央部分にはマイクロフォン３１が設けられている。
【００１９】
そして携帯電話機２０においては、操作部筐体２２のスライド用溝２８Ａ、２８Ｂに対してアンテナカバー２９のスライド部３０Ａ、３０Ｂがそれぞれ嵌合されていることにより、当該アンテナカバー２９をスライド用溝２８Ａ、２８Ｂに沿って操作部筐体２２の上方向（矢印ａの示す方向）及び下方向（矢印ｂの示す方向）にスライドすることができるようになされている。
【００２０】
実際上、携帯電話機２０においては、通話時に図１（Ａ）に示すように、アンテナカバー２９が矢印ｂ方向へ引き出されると、アンテナ収容部２７をアンテナカバー２９の外部へ露出させることによりアンテナ利得を最大にして良好な送受信感度で通話を行い得るようになされている。なお、このときをアンテナカバー２９の引出状態とする。
【００２１】
一方、携帯電話機２０においては、携帯時に図１（Ｂ）に示すように、アンテナカバー２９が矢印ａ方向へ押し込まれると、アンテナ収容部２７をアンテナカバー２９の内部に収納することによりアンテナカバー２９でアンテナ収容部２７を保護すると共に、操作部筐体２２からのアンテナカバー２９の突出量を最小にして携帯性を向上し得るようになされている。なお、このときをアンテナカバー２９の収納状態とする。
【００２２】
（１−２）操作部筐体及びアンテナカバーの構成
次に、操作部筐体２２及びアンテナカバー２９の構成を説明する。図２（Ａ）及び（Ｂ）に示すように、操作部筐体２２の下端に設けられたアンテナ収容部２７の内部には、ほぼコ字型板状のアンテナ素子３２が収容されており、当該アンテナ素子３２の一端が操作部筐体２２の内部に設けられた基板３３上の給電部３４と電気的に接続されている。これによりアンテナ素子３２は、アンテナとして動作するようになされている。
【００２３】
また操作部筐体２２には、操作部筐体右側面２２Ｂ及び操作部筐体左側面２２Ｃの下部にそれぞれ引出状態保持凹部３５Ａ及び３５Ｂが設けられていると共に、当該引出状態保持凹部３５Ａ及び３５Ｂの上方には、それぞれ収納状態保持凹部３６Ａ及び３６Ｂが設けられている。
【００２４】
さらに引出状態保持凹部３５Ａ、３５Ｂ及び収納状態保持凹部３６Ａ、３６Ｂは金属で形成されており、当該引出状態保持凹部３５Ａ、３５Ｂ及び収納状態保持凹部３６Ａ、３６Ｂと基板３３とが電気的に接続するようになされている。
【００２５】
一方、アンテナカバー２９においては、アンテナカバー正面２９Ａの中央部分にマイクロフォン３１が設けられていると共に、アンテナカバー右側面２９Ｂ及びアンテナカバー左側面２９Ｃにそれぞれスライド部３０Ａ及び３０Ｂが設けられており、当該スライド部３０Ａ及び３０Ｂの裏側上部にそれぞれ状態保持ストッパ３７Ａ及び３７Ｂが突設されている。
【００２６】
さらに状態保持ストッパ３７Ａ及び３７Ｂは金属で形成されており、マイクロフォン３１と状態保持ストッパ３７Ａ及び３７Ｂとが電気的に接続するようになされている。
【００２７】
そしてアンテナカバー２９は、図２（Ａ）に示すように、引出状態にあるとき、状態保持ストッパ３７Ａ及び３７Ｂが操作部筐体２２の引出状態保持凹部３５Ａ及び３５Ｂに対してそれぞれ嵌合されることにより引出状態を保持することができると共に、このときマイクロフォン３１が状態保持ストッパ３７Ａ、３７Ｂ及び引出状態保持凹部３５Ａ、３５Ｂを介して基板３３と電気的に接続されるようになされている。
【００２８】
またこのときの引出状態保持凹部３５Ａ及び３５Ｂと状態保持ストッパ３７Ａ及び３７Ｂとの位置関係は、図３に示すように、アンテナ収容部２７とアンテナカバー２９との間にユーザの指が入らない程度の隙間を設ける位置で、かつアンテナカバー２９のマイクロフォン３１がユーザの口の近傍になるような位置に設定されている。
【００２９】
これにより携帯電話機２０は、アンテナカバー２９が引き出されると、アンテナ収容部２７の周りに隙間を設けることができるので、その隙間の分だけユーザの手をアンテナ収容部２７から遠ざけることができる。
【００３０】
さらにこのとき携帯電話機２０は、マイクロフォン３１がユーザの口の近傍になるような位置でアンテナカバー２９を保持することができるので、マイクロフォン３１でユーザの声を確実に捕らえることができる。
【００３１】
一方、アンテナカバー２９は、図２（Ｂ）に示すように、収納状態にあるとき、状態保持ストッパ３７Ａ及び３７Ｂが操作部筐体２２の収納状態保持凹部３６Ａ及び３６Ｂに対してそれぞれ嵌合されることにより収納状態を保持することができると共に、このときマイクロフォン３１が状態保持ストッパ３７Ａ、３７Ｂ及び収納状態保持凹部３６Ａ、３６Ｂを介して基板３３と電気的に接続されるようになされている。
【００３２】
（１−３）動作及び効果
以上の構成において、携帯電話機２０のアンテナカバー２９は、矢印ｂ方向へ引き出されると、アンテナ収容部２７をアンテナカバー２９外部に露出する。
【００３３】
このとき携帯電話機２０は、アンテナ収容部２７とアンテナカバー２９との間にユーザの指が入らない程度の隙間を設ける位置で、かつアンテナカバー２９のマイクロフォン３１がユーザの口の近傍になる位置でアンテナカバー２９の引出状態を保持する。
【００３４】
これにより携帯電話機２０は、通話時において、アンテナ収容部２７の周りに設けられた隙間の分だけユーザの手をアンテナ収容部２７から遠ざけてアンテナ収容部２７をユーザの手で覆われることを防止することができる。
【００３５】
さらにこのとき携帯電話機２０は、マイクロフォン３１がユーザの口の近傍になるような位置でアンテナカバー２９を保持することができるので、マイクロフォン３１でユーザの声を確実に捕らえることができる。
【００３６】
一方、携帯電話機２０は、アンテナカバー２９が矢印ａ方向へ押し込まれると、アンテナ収容部２７をアンテナカバー２９内部に収納すると共に、操作部筐体２２からのアンテナカバー２９の突出量を最小にする。
【００３７】
これにより携帯電話機２０は、携帯時において、アンテナカバー２９でアンテナ収容部２７を保護すると共に、携帯性を向上することができる。
【００３８】
また携帯電話機２０は、ホイップアンテナ等のような通話時と携帯時とでアンテナ素子への給電位置が変化する構成ではなく、アンテナカバー２９がスライドするのみの簡易な構成であり、通話時及び携帯時のいずれの状態においても、アンテナ素子３２への給電位置は変化しない。このため携帯電話機２０自体の共振周波数は常に一定であり、設計時における共振周波数の設定が容易である。
【００３９】
以上の構成によれば、携帯電話機２０は、アンテナカバー２９が矢印ｂ方向へ引き出されると、アンテナ収容部２７とアンテナカバー２９との間にユーザの指が入らない程度の隙間を設ける位置でアンテナカバー２９の引出状態を保持することができる。
【００４０】
これにより携帯電話機２０は、アンテナ収容部２７の周りに設けられた隙間の分だけユーザの手をアンテナ収容部２７から遠ざけてアンテナ収容部２７をユーザの手で覆われることを防止することができ、かくして当該ユーザの手に起因するアンテナ利得の劣化を低減することができる。
【００４１】
また携帯電話機２０は、ユーザの手とアンテナ収容部２７とを遠ざけることにより、ユーザの手に起因する共振周波数の変化を少なくすることができる。
【００４２】
（２）第２の実施の形態
（２−１）第２の実施の形態における携帯電話機の外観構成
図４（Ａ）及び（Ｂ）において、４０は全体として第２の実施の形態を適用した携帯電話機を示し、表示部筐体４１と操作部筐体４２とが、当該表示部筐体４１の下端と操作部筐体正面４２Ａ上部とを連結するヒンジ部４３を介して折り畳み可能に形成されており、通話時には展開した開状態（図４（Ａ））で使用され、携帯時には折り畳まれた閉状態（図４（Ｂ））で使用される。
【００４３】
表示部筐体正面４１Ａには、その中央部分に液晶ディスプレイ等でなる表示部（図示せず）が設けられていると共に、当該表示部の上方にスピーカ（図示せず）が設けられている。一方、操作部筐体４２には、操作部筐体正面４２Ａの中央部分に複数の操作ボタンでなる操作部（図示せず）が設けられていると共に、当該操作部の下方にマイクロフォン（図示せず）が設けられている。
【００４４】
かかる構成に加えて携帯電話機４０においては、図４（Ａ）に示すように、内部にアンテナ素子（図示せず）を収容したアンテナ収容部４４が操作部筐体４２の上端に設けられていると共に、当該アンテナ収容部４４の外周面に沿った形状でほぼコ字型のアンテナカバー４５がアンテナカバー回転軸（図示せず）を介して回動自在に設けられている。
【００４５】
そして携帯電話機４０においては、通話時に図４（Ａ）に示すように、アンテナカバー４５が操作部筐体裏面４２Ｂ方向に引き倒されると、アンテナカバー４５を操作部筐体裏面４２Ｂに対して垂直に起立させると共に、アンテナ収容部４４をアンテナカバー４５外部に露出させる。
【００４６】
これにより携帯電話機４０は、そのアンテナ利得を最大にして良好な送受信感度で通話を行い得るようになされている。なお、このときをアンテナカバー４５の起立状態とする。
【００４７】
一方、携帯電話機４０においては、携帯時に図４（Ｂ）に示すように、アンテナカバー４５が操作部筐体正面４２Ａ方向へ押し倒されると、アンテナ収容部４４をアンテナカバー４５内部に収納すると共に、操作部筐体４２からのアンテナカバー４５の突出量を最小にする。
【００４８】
これにより携帯電話機４０は、アンテナカバー４５でアンテナ収容部４４を保護すると共に、携帯性を向上し得るようになされている。なお、このときをアンテナカバー４５の収納状態とする。
【００４９】
（２−２）操作部筐体及びアンテナカバーの構成
次に、操作部筐体４２及びアンテナカバー４５の構成を説明する。図５及び図６に示すように、操作部筐体４２の上端に設けられたアンテナ収容部４４の内部には、ほぼコ字型板状のアンテナ素子４６が収容されており、当該アンテナ素子４６の一端が操作部筐体４２の内部に設けられた基板４７上の給電部４８と電気的に接続されている。これによりアンテナ素子４６は、アンテナとして動作するようになされている。
【００５０】
また操作部筐体４２には、操作部筐体右側面４２Ｃ及び操作部筐体左側面４２Ｄの上部にそれぞれ収納状態保持凹部４９Ａ及び４９Ｂが設けられていると共に、当該収納状態保持凹部４９Ａ及び４９Ｂの下方にそれぞれ軸受部５０Ａ及び軸受部５０Ｂが設けられている。
【００５１】
さらに操作部筐体右側面４２Ｃには、収納状態保持凹部４９Ａと軸受部５０Ａとの間隔と等しい間隔で、軸受部５０Ａと水平な位置に起立状態保持凹部５１Ａが設けられており、操作部筐体左側面４２Ｄには、収納状態保持凹部４９Ｂと軸受部５０Ｂとの間隔と等しい間隔で、軸受部５０Ｂと水平な位置に起立状態保持凹部５１Ｂが設けられている。
【００５２】
一方、アンテナカバー４５においては、図６に示すようにアンテナカバー右側面４５Ａ及びアンテナカバー左側面４５Ｂの裏側下部にそれぞれアンテナカバー回転軸５２Ａ及び５２Ｂが突設されていると共に、アンテナカバー回転軸５２Ａ及び５２Ｂの上方にそれぞれ状態保持ストッパ５３Ａ及び５３Ｂが突設されている。
【００５３】
そしてアンテナカバー４５は、操作部筐体４２に設けられた軸受部５０Ａ及び５０Ｂに対してアンテナカバー回転軸５２Ａ及び５２Ｂがそれぞれ嵌合されており、当該アンテナカバー回転軸５２Ａ及び５２Ｂを介して操作部筐体裏面４２Ｂ方向及び操作部筐体正面４２Ａ方向に回動することができるようになされている。
【００５４】
実際上、アンテナカバー４５は、図５に示すように、操作部筐体裏面４２Ｂ方向に回動した起立状態にあるとき、状態保持ストッパ５３Ａ、５３Ｂが操作部筐体４２の起立状態保持凹部５１Ａ、５１Ｂに対してそれぞれ嵌合されることにより起立状態を保持することができる。
【００５５】
このときのアンテナカバー４５は、操作部筐体裏面４２Ｂに対して垂直に起立した状態である。これにより携帯電話機４０は、図７（Ａ）に示すように、ユーザに対してアンテナカバー４５が操作部筐体４２を把持する際の支えであることを認識させることができ、ユーザに対して当該アンテナカバー４５を支えとして操作部筐体４２の中央部分を把持させることができる。
【００５６】
その結果携帯電話機４０は、ユーザに対して操作部筐体４２を把持しやすくさせることができると共に、ユーザの手とアンテナ収容部４４とを遠ざけることができる。
【００５７】
さらにこのときの携帯電話機４０は、図７（Ｂ）に示すように、例えば鉄板等の金属材で形成された机５４の上に開状態で置かれた場合に、起立したアンテナカバー４５によってアンテナ収容部４４と机５４とを遠ざけることができるので、当該机５４に起因するアンテナ利得の劣化を低減することができ、また机５４上で安定した状態を保つことができる。
【００５８】
またアンテナカバー４５は、図６に示すように、操作部筐体正面４２Ａ方向に回動した収納状態にあるとき、状態保持ストッパ５３Ａ及び５３Ｂが操作部筐体４２の収納状態保持凹部４９Ａ及び４９Ｂに対してそれぞれ嵌合されることにより収納状態を保持することができる。
【００５９】
（２−３）動作及び効果
以上の構成において、携帯電話機４０は、通話時にアンテナカバー４５が操作部筐体裏面４２Ｂ方向に引き倒されると、アンテナカバー４５を操作部筐体裏面４２Ｂに対して垂直に起立させると共に、アンテナ収容部４４をアンテナカバー４５外部に露出させる。
【００６０】
これにより携帯電話機４０は、ユーザに対してアンテナカバー４５が操作部筐体４２を把持する際の支えであることを認識させることができ、ユーザに対して当該アンテナカバー４５を支えとして操作部筐体４２の中央部分を把持させることができる。
【００６１】
その結果、携帯電話機４０は、ユーザに対して操作部筐体４２を把持しやすくさせることができると共に、ユーザの手とアンテナ収容部４４とを遠ざけることができる。
【００６２】
またこのときの携帯電話機４０は、例えば鉄板等の金属材で形成された机５４の上に開状態で置かれた場合に、起立したアンテナカバー４５によってアンテナ収容部４４と机５４とを遠ざけることができると共に、机５４上で安定した状態を保つことができる。
【００６３】
一方、携帯電話機４０は、携帯時にアンテナカバー４５が操作部筐体正面４２Ａ方向に押し倒されるとアンテナ収容部４４をアンテナカバー４５内部に収納すると共に、操作部筐体４２からのアンテナカバー４５の突出量を最小にする。
【００６４】
これにより携帯電話機４０は、アンテナカバー４５でアンテナ収容部４４を保護すると共に、携帯性を向上し得るようになされている。
【００６５】
また、携帯電話機４０は、ホイップアンテナ等のような通話時と携帯時とでアンテナ素子への給電位置が変化する構成ではなく、アンテナカバー２９がスライドするのみの簡易な構成であり、通話時及び携帯時のいずれの状態においても、アンテナ素子３２への給電位置は変化しない。このため携帯電話機４０自体の共振周波数は常に一定であり、設計時における共振周波数の設定が容易である。
【００６６】
以上の構成によれば、携帯電話機４０は、アンテナカバー４５が操作部筐体裏面４２Ｂ方向へ引き倒されると、アンテナカバー４５を操作部筐体裏面４２Ｂに対して垂直に起立させると共に、アンテナ収容部４４をアンテナカバー４５外部に露出させる。
【００６７】
これにより携帯電話機４０は、ユーザに対してアンテナカバー４５が操作部筐体４２を把持する際の支えであることを認識させることができ、ユーザに対して当該アンテナカバー４５を支えとして操作部筐体４２の中央部分を把持させることができる。
【００６８】
その結果、携帯電話機４０は、ユーザに対して操作部筐体４２を把持しやすくさせることができると共に、ユーザの手とアンテナ収容部４４とを遠ざけてアンテナ収容部４４をユーザの手で覆われることを防止することができ、かくしてユーザの手に起因するアンテナ利得の劣化を低減することができる。
【００６９】
また携帯電話機４０は、ユーザの手とアンテナ収容部４４とを遠ざけることにより、ユーザの手に起因する共振周波数の変化を少なくすることができる。
【００７０】
（３）他の実施の形態
なお上述の実施の形態においては、表示部筐体と操作部筐体とが別々に設けられ、当該表示部筐体と当該操作部筐体とがヒンジ部を介して連結された折り畳み式の携帯電話機に本発明を適用する場合について述べたが、本発明はこれに限らず、例えば図８（Ａ）に示すように、表示部６１と操作部６２とがひとつの筐体６３に設けられ、当該筐体６３の上端にアンテナ収容部６４が設けられた携帯電話機６０等、種々の形状をした携帯電話機に本発明を適用するようにしてもよい。
【００７１】
この場合、例えばスピーカ６５を内蔵したアンテナカバー６６を筐体６３の上端に設け、当該アンテナカバー６５をスライドさせることにより、ユーザの手とアンテナ収容部６４とを遠ざけることができる。また、アンテナカバー６６をスライドさせたときの位置がユーザの耳の近傍になるように設定しておくことにより、スピーカ６６から出力される音声をユーザに対して聞き取りやすくさせることができる。
【００７２】
また上述の実施の形態においては、支持手段としてのスライド部３０Ａ及び３０Ｂを介してアンテナカバー２９をスライドさせることによりユーザの手とアンテナ収容部２７とを遠ざけるようにした場合と、支持手段としてのアンテナカバー回転軸５２Ａ及び５２Ｂを介してアンテナカバー４５を回動させることによりユーザの手とアンテナ収容部４４とを遠ざけるようにした場合とについて述べたが、本発明はこれに限らず、例えば図８（Ｂ）に示すように、携帯電話機７０において、表示部筐体７１と操作部筐体７２とが、表示部筐体正面７１Ａの中央部分の下方と操作部筐体７２の上端とを連結するヒンジ部７３を介して折り畳み可能に形成されると共に、当該操作部筐体裏面７２Ａの上部にアンテナ収容部７４が形成され、展開した開状態時に、表示部筐体７１の下端が操作部筐体７２の上端に設けられたアンテナ収容部７４を覆うことにより、表示部筐体７１の厚みの分だけユーザの手とアンテナ収容部７４とを遠ざけるようにしてもよい。
【００７３】
またこの場合、携帯電話機７０は、例えば鉄板等の金属材で形成された机７５の上に置かれた場合に、表示部筐体７１の下端がアンテナ収容部７４を覆うことによりアンテナ収容部７４と机７５とを遠ざけることができると共に、机７５上で安定した状態を保つことができる。
【００７４】
さらに上述の実施の形態においては、アンテナ離開手段としての箱型のアンテナカバー２９及びほぼコ字型のアンテナカバー４５を用いるようにした場合について述べたが、本発明はこれに限らず、アンテナ収容部とユーザの手を遠ざける役目を果たす形状であれば、図９（Ａ）、（Ｂ）及び（Ｃ）に示すようにフレーム型のアンテナカバー８０、板状のアンテナカバー８１、引出型のアンテナカバー８２等、種々の形状をしたアンテナカバーを用いてもよい。
【００７５】
またこのような種々の形状をしたアンテナカバーのスライド動作及び回動動作と、携帯電話機を通話可能な状態または通話不可能な状態に切り替える切替動作とを連動させるようにしてもよく、この場合、携帯電話機は、通話時においてユーザに対して確実にアンテナカバーをスライドまたは回動させることができる。
【００７６】
さらに上述の第１の実施の形態においては、アンテナカバー２９に設けられた状態保持ストッパ３７Ａ、３７Ｂを操作部筐体２２に設けられた引出状態保持凹部３５Ａ、３５Ｂまたは収納状態保持凹部３６Ａ、３６Ｂに対してそれぞれ嵌合させることにより、引出状態または収納状態を保持する場合について述べたが、本発明はこれに限らず、例えば図１０に示すように、操作部筐体２２に設けられた引出状態保持凹部３５Ａ、３５Ｂ及び収納状態保持凹部３６Ａ、３６Ｂの代わりに、状態保持スプリングストッパ９０Ａ及び９０Ｂを設けると共に、アンテナカバー２９に設けられた状態保持ストッパ３７Ａ、３７Ｂの代わりに、引出状態保持凹部９１Ａ、９１Ｂ及び収納状態保持凹部９２Ａ、９２Ｂを設け、当該状態保持スプリングストッパ９０Ａ、９０Ｂを引出状態保持凹部９１Ａ、９１Ｂまたは収納状態保持凹部９２Ａ、９２Ｂに対してそれぞれ嵌合させることにより引出状態または収納状態を保持するようにしてもよい。
【００７７】
この場合、アンテナカバー２９のマイクロフォン３１は、引出状態保持凹部９１Ａ、９１Ｂまたは収納状態保持凹部９２Ａ、９２Ｂと状態保持スプリングストッパ９０Ａ、９０Ｂとを介して基板３３と電気的に接続するようになされている。
【００７８】
さらに上述の実施の形態においては、携帯無線機として携帯電話機に本発明を適用した場合について述べたが、本発明はこれに限らず、ＰＤＡ（Ｐｅｒｓｏｎａｌ  Ｄｉｇｉｔａｌ  Ａｓｓｉｓｔａｎｃｅ）等、その他種々の携帯無線機に適用してもよい。
【００７９】
さらに上述の実施の形態においては、アンテナとしてほぼコ字型板状のアンテナ素子３２及び４６を用いた場合について述べたが、本発明はこれに限らず、携帯電話機の内部に収容可能なアンテナであれば、ヘリカル状やメアンダ状等、その他種々の形状をしたアンテナを用いてもよい。
【００８０】
【発明の効果】
上述のように本発明によれば、ユーザによって把持される筐体と、筐体に設けられたアンテナと、ユーザの手により把持される筐体の部位とアンテナとの間に設けられ、当該ユーザの手を当該アンテナから離開させるアンテナ離開手段とを設けたことにより、筐体を把持するユーザの手とアンテナとを遠ざけることができるので、人体に起因するアンテナ利得の劣化を低減することができる。
【００８１】
かくして、従来と比して一段とアンテナ利得の劣化を低減し得る携帯無線機を実現できる。
【図面の簡単な説明】
【図１】第１の実施の形態における携帯電話機の外観構成を示す略線図である。
【図２】第１の実施の形態における操作部筐体及びアンテナカバーの構成を示す略線図である。
【図３】第１の実施の形態における携帯電話機の使用例を示す略線図である。
【図４】第２の実施の形態における携帯電話機の外観構成を示す略線図である。
【図５】第２の実施の形態における操作部筐体及びアンテナカバー（起立状態）の構成を示す略線図である。
【図６】第２の実施の形態における操作部筐体及びアンテナカバー（収納状態）の構成を示す略線図である。
【図７】第２の実施の形態における携帯電話機の使用例を示す略線図である。
【図８】他の実施の形態における携帯電話機の使用例を示す略線図である。
【図９】他の実施の形態におけるアンテナカバーの形状を示す略線図である。
【図１０】他の実施の形態における操作部筐体及びアンテナカバーの構成を示す略線図である。
【図１１】従来の携帯電話機の外観構成を示す略線図である。
【図１２】従来の携帯電話機の使用例を示す略線図である。
【符号の説明】
２０、４０、６０、７０……携帯電話機、２５、６５……スピーカ、２７、４４、６４、７４……アンテナ収容部、２９、４５、６６、８０、８１、８２……アンテナカバー、３０Ａ、３０Ｂ……スライド部、３１……マイクロフォン、３５Ａ、３５Ｂ、９１Ａ、９１Ｂ……引出状態保持凹部、３６Ａ、３６Ｂ、４９Ａ、４９Ｂ、９２Ａ、９２Ｂ……収納状態保持凹部、３７Ａ、３７Ｂ、５３Ａ、５３Ｂ……状態保持ストッパ、５１Ａ、５１Ｂ……起立状態保持凹部、５２Ａ、５２Ｂ……アンテナカバー回転軸、９０Ａ、９０Ｂ……状態保持スプリングストッパ。
【図１】
2004336368.tif 000003
【図２】
2004336368.tif 000004
【図３】
2004336368.tif 000005
【図４】
2004336368.tif 000006
【図５】
2004336368.tif 000007
【図６】
2004336368.tif 000008
【図７】
2004336368.tif 000009
【図８】
2004336368.tif 000010
【図９】
2004336368.tif 000011
【図１０】
2004336368.tif 000012
【図１１】
2004336368.tif 000013
【図１２】
2004336368.tif 000014